(57)【要約】【課題】利用者が遮蔽部材により手を挟まれることを防止し、遮蔽機構の破損も防止できる記録媒体読み書き装置及びそれを備えた画像形成装置を提供する。【解決手段】ＭＦＰ２０は、利用者が操作指示を入力するための指示入力部２１を備える。拡張ユニット３０は、記録媒体の着脱を行うための開口部を有する入出力端子部と、前記開口部を外界から遮蔽する遮蔽部材と、前記遮蔽部材を駆動する駆動部とを備えたリーダライタ３３と、前記駆動部を制御する制御装置３１と、を有する。制御装置３１は、記録媒体がアクセスを終了したことを検知すると前記遮蔽部材を開放し、記録媒体が引き抜かれたことを検知し、かつ、前記指示入力部２１が、利用者による閉じることを指示する指示入力を受け付けた後に、前記遮蔽部材を閉じるよう前記駆動部を制御する。【選択図】図１
2013166356.tif 000002
【特許請求の範囲】
【請求項１】
利用者が操作指示を入力するための指示入力部からの指示に従って記録媒体にデータの読み書きを行う記録媒体読み書き装置であって、
利用者が操作指示を入力するための指示入力部と、
記録媒体の着脱を行うための開口部を有する入出力端子部と、
前記開口部を外界から遮蔽する遮蔽部材と、
前記遮蔽部材を駆動する駆動部と、
前記駆動部を制御する制御部と、
を有し、
前記制御部は、
記録媒体がアクセスを終了したことを検知すると前記遮蔽部材を開放し、
記録媒体が引き抜かれたことを検知し、かつ、前記指示入力部が、利用者による閉じることを指示する指示入力を受け付けた後に、前記遮蔽部材を閉じるよう前記駆動部を制御することを特徴とする記録媒体読み書き装置。
【請求項２】
前記制御部は、前記遮蔽部材に異物を挟み込んだことを検出した場合、前記遮蔽部材を開くよう制御することを特徴とする請求項１に記載の記録媒体読み書き装置。
【請求項３】
前記制御部は、前記遮蔽部材を閉じる制御を開始した場合、利用者の閉じる指示がなくとも、制御開始から所定時間が経過したときは、前記遮蔽部材を閉じることを特徴とする請求項１又は２に記載の記録媒体読み書き装置。
【請求項４】
複数種類の記録媒体に対応する複数の入出力端子を有し、
前記遮蔽部材は、複数の前記開口部を外界から遮蔽する単一の部材からなることを特徴とする請求項１から３のいずれか一項に記載の記録媒体読み書き装置。
【請求項５】
回転記録媒体の読み書き部と、
回転記録媒体を載置するための駆動機構付きのトレイと、
を備え、
前記制御部は、前記遮蔽部材の開閉と前記トレイの露出・収納を連動するよう制御することを特徴とする請求項１から４のいずれか一項に記載の記録媒体読み書き装置。
【請求項６】
第１の装置と第２の装置が左右に並列して構成された画像形成システムであって、
前記第１の装置は、利用者が操作指示を入力するための指示入力部を有し、
前記第２の装置は、請求項１から５のいずれかに記載の記録媒体読み書き装置を有することを特徴とすることを特徴とする画像形成システム。
【発明の詳細な説明】
【技術分野】
【０００１】
本発明は、メモリカードやＵＳＢメモリなどの記録媒体を挿入するための開口部をシャッタ（遮蔽部材）で開閉する構造の記録媒体読み書き装置及びそれを備えた画像形成装置に関する。
【背景技術】
【０００２】
各種記録媒体、例えばメモリカード等を読み込んでサービスを提供する種々の装置が市場投入されており、そのような装置では、カードのデータを読み書きする必要がある。この読み書きの途中に利用者が誤ってカードを抜いてしまうとカード内のデータを破壊するおそれがあるので、読み書き中はカードを抜かないようにカード着脱のための開口部を外部から遮蔽するような機構を備えた装置が存在する。
【０００３】
特許文献１には、カード挿入部にＩＣカードが挿入されると上進して閉じ、販売動作と決済処理が完了したときに上昇して開放するシャッタを設けた自動販売機が開示されている。
【先行技術文献】
【特許文献】
【０００４】
【特許文献１】特開２００４−１０２３６１号公報
【発明の概要】
【発明が解決しようとする課題】
【０００５】
しかし、このように遮蔽機構を設けると、遮蔽部材が閉じる際に利用者が誤って手を挟み、怪我までには至らないにしても、利用者に不快感を感じさせたり、遮蔽部材の駆動機構を破損させてしまうという懸念がある。
【０００６】
本発明は、斯かる実情に鑑み、利用者が、遮蔽部材により手を挟まれることを防止し、遮蔽機構の破損も防止できる記録媒体読み書き装置及びそれを備えた画像形成装置を提供することを目的とする。
【課題を解決するための手段】
【０００７】
本発明は、利用者が操作指示を入力するための指示入力部からの指示に従って記録媒体にデータの読み書きを行う記録媒体読み書き装置であって、
記録媒体の着脱を行うための開口部を有する入出力端子部と、前記開口部を外界から遮蔽する遮蔽部材と、前記遮蔽部材を駆動する駆動部と、前記駆動部を制御する制御部と、を有し、
前記制御部は、記録媒体がアクセスを終了したことを検知すると前記遮蔽部材を開放し、記録媒体が引き抜かれたことを検知し、かつ、前記指示入力部が、利用者による閉じることを指示する指示入力を受け付けた後に、前記遮蔽部材を閉じるよう前記駆動部を制御することを特徴とする。
【０００８】
また、本発明の記録媒体読み書き装置において、前記制御部は、前記遮蔽部材に異物を挟み込んだことを検出した場合、前記遮蔽部材を開くよう制御することを特徴とする。
【０００９】
また、本発明の記録媒体読み書き装置において、前記制御部は、前記遮蔽部材を閉じる制御を開始した場合、利用者の閉じる指示がなくとも、制御開始から所定時間が経過したときは、前記遮蔽部材を閉じることを特徴とする。
【００１０】
また、本発明の記録媒体読み書き装置において、複数種類の記録媒体に対応する複数の入出力端子を有し、前記遮蔽部材は、複数の前記開口部を外界から遮蔽する単一の部材からなることを特徴とする。
【００１１】
また、本発明の記録媒体読み書き装置において、回転記録媒体の読み書き部と、回転記録媒体を載置するための駆動機構付きのトレイと、を備え、
前記制御部は、前記遮蔽部材の開閉と前記トレイの露出・収納を連動するよう制御することを特徴とする。
【００１２】
また、本発明は、第１の装置と第２の装置が左右に並列して構成された画像形成システムであって、
前記第１の装置は、利用者が操作指示を入力するための指示入力部を有し、前記第２の装置は、請求項１から５のいずれかに記載の記録媒体読み書き装置を有することを特徴とする。
【発明の効果】
【００１３】
本発明によれば、装置側で何らかの条件を満たしたことをトリガにして遮蔽部材を閉めると手を挟むおそれがあったが、指示入力部からの指示があるまで閉じないので手を挟むおそれが低減し、遮蔽機構の破損も防止できる。特に記録媒体が開口部手前に落ちて、利用者がそれを拾っている間に遮蔽部材が閉まってしまうといったことがなくなる。
【００１４】
また、遮蔽部材に異物を挟み込んだことを検出した場合、遮蔽部材を開くよう制御することにより、異物を取り除くことが可能となる。
【００１５】
また、遮蔽部材を閉じる制御を開始した場合、利用者の閉じる指示がなくとも、制御開始から所定時間が経過したときは、遮蔽部材を閉じることにより、入力端子部の開口部が露呈したままの状態とせずに済む。
【００１６】
また、本遮蔽部材は、複数の記録媒体の開口部を外界から遮蔽する単一の部材とすることにより、全開口部を一度に外界から遮蔽することができ、開口部を個別に遮蔽するものより、単純な構造とすることができる。
【００１７】
また、遮蔽部材の開閉と回転記録媒体のトレイの露出・収納を連動することにより、利用者が回転記録媒体の場合、トレイを別に操作せずに済み、操作が簡単になる。
【００１８】
また、指示入力部が前記第１の装置側に設けられ、記録媒体読み書き装置が第２の装置側に設けられるので、利用者が遮蔽部材を閉じる指示を指示入力部に入力する場合、記録媒体読み書き装置から遠ざかることになり、結果的に利用者が不用意に手を挟むことが抑制できる。
【図面の簡単な説明】
【００１９】
【図１】本発明にかかる記録媒体読み書き装置を具備した画像形成システムの全体ブロック図である。
【図２】画像形成システムの全体を示す全体外観図である。
【図３】拡張ユニットの制御装置を示すブロック図である。
【図４】リーダライタを示すブロック図である。
【図５】リーダライタの外観拡大図である。
【図６】シャッタの動作説明図である。
【図７】シャッタの開閉動作構造の概略図である。
【図８】画像形成システム１０による画像形成処理を示すフローチャートである。
【図９】ステップＳ６のメディア装着処理のフローチャートである。
【図１０】ステップＳ８のメディア引き抜き処理のフローチャートである。
【図１１】ステップＳ２５のシャッタを閉じる処理を示すフローチャートである。
【図１２】サービス選択の操作画面を示す図である。
【図１３】装着する記録媒体を選択する操作画面を示す図である。
【図１４】記録媒体を装着してシャッタを閉じる操作画面を示す図である。
【図１５】記録媒体を引き抜いてシャッタを閉じる操作画面を示す図である。
【図１６】ステップＳ２５のシャッタ閉じ処理の他の処理を示すフローチャートである。
【図１７】ステップＳ８のメディア引き抜き処理の他の処理を示すフローチャートである。
【発明を実施するための形態】
【００２０】
以下、本発明の実施の形態を添付図面を参照して説明する。
【００２１】
図１は、本発明にかかる記録媒体読み書き装置を具備した画像形成システムの全体ブロック図であり、図２は、この画像形成システムの全体を示す全体外観図である。
この画像形成システム１０は、デジタル複合機であるＭＦＰ（Multifunction Peripheral）２０に拡張ユニット３０が接続されている構成である。
【００２２】
ＭＦＰ２０は、利用者の操作を受け付ける指示入力部２１、ネットワークに接続するための拡張カードであるＮＩＣ（Network Interface Card）２２、各部を制御するＭＦＰ制御部２３、ＭＦＰ内のプリンタである電子写真方式の第１の画像形成装置２４、原稿読取部２５を備える。
指示入力部２１は、利用者の操作を受け付ける、たとえば液晶タッチパネルであり、操作内容を表示して、利用者が操作表示部分に触れることにより入力を可能とする。
第１の画像形成装置２４は、ＭＦＰ２０内部の電子写真方式のプリンタであり、用紙カセット内にＢ５〜Ａ３サイズの普通紙を収容している。
【００２３】
拡張ユニット３０は、制御装置３１、主に写真を印刷するための第２の画像形成装置３２、各記録媒体を読み書きするリーダライタ（記録媒体読み書き装置）３３を備える。
第２の画像形成装置３２は昇華型プリンタであり、Ｌ版サイズの専用紙を収容している。リーダライタ３３は、各種メモリカード、ＣＤ−Ｒ等の記録媒体（記録メディア）をリード・ライトすることができる。写真印刷のモードでは、メモリカード内の画像データを読み出して印刷できる。
【００２４】
拡張ユニット３０とＭＦＰ２０は、左右に並列して設置構成されており、指示入力部２１はＭＦＰ２０側に設けられ、リーダライタ３３は拡張ユニット３０側に設けられている。
【００２５】
図３は、拡張ユニット３０の制御装置３１を示すブロック図である。
制御装置３１は、各部を制御するＣＰＵ（Central Processing Unit）４１、データなどを記憶する記憶部４２、ビデオチップからなる描画部４３、シリアル通信部４４、ＮＩＣ４５を備える。
記憶部４２は、ＲＯＭ・ＲＡＭ・ＨＤＤなどの記憶媒体からなり、リーダライタ３３で読み取ったデータを一旦記憶したり、各部の処理を行うためのプログラムなどを記憶したりする。
描画部４３はビデオメモリからなり、指示入力部２１の液晶に表示させる画像を生成する。
シリアル通信部４４は、指示入力部２１のタッチパネルに接続するためのもので、入力操作のデータを送受信する。
ＮＩＣ４５は、ＭＦＰ２０内のＮＩＣ２２とネットワーク接続したり、インターネットを介して外部のサーバに接続するためのものである。
制御装置３１は、第２の画像形成装置３２、リーダライタ３３も制御する。拡張ユニット３０内の制御装置３１がリーダライタ３３の制御部を兼ねて制御しているが、リーダライタ３３の内部にその制御部を有する構成でも良い。
【００２６】
図４は、リーダライタ３３を示すブロック図である。図５はリーダライタ３３の外観拡大図、図６はシャッタの動作説明図、図７はシャッタの開閉動作構造の概略図である。
【００２７】
リーダライタ３３は、記録媒体に対してデータの読み書きを行うための入出力端子部５１、回転記録媒体リードライトユニット５２、シャッタ位置検出センサ５３、駆動部５４を備える。
入出力端子部５１は、メデイアの種類に応じて、第１〜第ｎの入出力端子５１−１〜５１−ｎを備え、それぞれメディア着脱のための開口部を備える。例えば、図５に示すように、コンパクトフラッシュ（登録商標）やマイクロドライブ（登録商標）用の入出力端子５１−１、ｘＤピクチャカード（登録商標）用の入出力端子５１−２、ＳＤカード（登録商標）やｍｉｎｉＳＤカード（登録商標）用の入出力端子５１−３、赤外線（ＩｒＤＡ，ＩｒＳＳ，ＩｒＳｉｍｐｌｅ）の入出力端子５１−４、スマートメディア（登録商標）用の入出力端子５１−５、メモリスティック（登録商標）やメモリスティクＤｕｏ（登録商標）用の入出力端子５１−６、ｍｉｃｒｏＳＤカード（登録商標）用の入出力端子５１−７、ＵＳＢメモリ５１−８用の入出力端子５１−８などが考えられる。
回転記録媒体リードライトユニット５２は、ＣＤ（登録商標），ＤＶＤ（登録商標）、Ｂｌｕ−ｒａｙ  Ｄｉｓｃ（登録商標）などの回転記録媒体に対してデータを読み書きする。
【００２８】
駆動部５４は、シャッタを駆動するためのステッピングモータからなるシャッタ駆動機構５５と、回転記録媒体の駆動機構５６とからなる。回転記録媒体の駆動機構は、回転記録媒体の搭載トレイを露出・収納するトレイ駆動機構５７と、ディスク回転機構、ピックアップ機構などからなるドライブユニット５６とからなる。詳しくは後述するが、シャッタ駆動機構５５とトレイ駆動機構５７は連動しており、シャッタを開くときは、トレイを露出し、シャッタを閉じるときは、トレイを収容する。これにより、利用者が回転記録媒体のときに、トレイの露出・収容の操作を行う必要がなくなる。
なお、シャッタ駆動機構５５とトレイ駆動機構５７は連動させずに、トレイの露出・収容の操作を別に行うことにしてもよい。
【００２９】
図６，図７に示すように、入出力端子部５１の開口部には、シャッタ（遮蔽部材）７０が回動して覆い被さり、記録媒体の挿入や抜去を防ぐ構造である。シャッタは、複数の開口部を全て覆うように、半透明のプラスチックなどの単一の部材で形成され、一度に外界から遮蔽するようになっている。このため、個別に開口部を覆う必要がなく、単純な構造にできる。
【００３０】
シャッタ７０の回転軸７１は、ステッピングモータ５５により回動される。シャッタ７０の開閉は、位置検出センサ５３ａ，５３ｂにより検出される。開位置検出用のセンサ５３ａ、閉位置検出用のセンサ５３ｂにより、開閉状態を検出する。
【００３１】
次に画像形成システムの処理動作について説明する。
この画像形成システム１０は、指示入力部２１のメニュー画面で利用者に選択されたサービス（コピーモード、写真プリントモード）に従って、コピー処理、写真プリント処理を行う。
【００３２】
ここで、コピーモードは、原稿読取部２５で読み取った原稿を、利用者の設定に従って第１の画像形成装置（ＭＦＰ内プリンタ）２４で印刷するモードである。
写真プリントモードは、メディアリーダに接続されたメデイアから読み取った写真データを、第２の画像形成装置（昇華型プリンタ）３２で印刷するモードである。
【００３３】
図８は、画像形成システム１０による画像形成処理を示すフローチャートである。
ステップＳ１にて、制御装置３１は、描画部４３に指示入力部２１の表示部に図１２に示す操作画面１０１を生成させて表示する（以降の操作画面の表示は、全て描画部４３により画面画像を生成して表示する）。「サービスを選んでください」という操作指示１０２と、「コピー」と「写真プリント」の選択アイコン１０３，１０４を表示する。利用者がいずれかのアイコンを選択するまで、制御装置３１は、図１２の画面を表示して待ち状態となる。利用者が「コピー」１０３を選択した場合は、コピーモードとなってステップＳ３に進む。利用者が「写真プリント」１０４を選択した場合は、写真プリントモードとなってステップＳ６に進む。
【００３４】
ステップＳ３では、制御装置３１は、コピーモード設定画面を表示する。そして、利用者がスタートボタンをオンしたか否かを確認し（ステップＳ４）、オンされた場合（ステップＳ４；Ｙ）、第１の画像形成装置２４によりコピー処理を行い（ステップＳ５）、ステップＳ１に戻る。
ステップＳ６では、利用者がリーダライタ３３にメディア装着を行い、制御装置３１は、利用者がスタートボタンをオンしたかを確認する（ステップＳ７）。スタートボタンをオンした場合（ステップＳ７；Ｙ）、利用者はメディア引き抜き処理を行う（ステップＳ８）。次に第２の画像形成装置３２によりプリント処理を行い（ステップＳ９）、印刷済み画像データを記憶部４２から消去し（ステップＳ１０）、ステップＳ１に戻る。
【００３５】
図９は、ステップＳ６のメディア装着処理のフローチャートである。
ステップＳ１１では、制御装置３１は、図１３に示す装着する記録媒体を選択する操作画面１１１を指示入力部２１に表示させ、利用者に選択させる。操作画面１１１には、「メディア種類を選択してください」という操作指示１１２が表示され、そして「ＳＤカード」アイコン１１３、「ＵＳＢメモリ」アイコン１１４、「ＣＤ・ＤＶＤ」アイコン１１５が表示されて、利用者に選択させる。
【００３６】
制御装置３１は、メディア種類が選択されたことを確認し（ステップＳ１２；Ｙ）、ステッピングモータ５５を用いてシャッタ７０を開方向に回動させ、シャッタを開放する（ステップＳ１３）。このとき、回転記録媒体のトレイ駆動機構５７を連動させて、トレイを露出させる。制御装置３１は、図１４に示すように、操作画面１２１を指示入力部２１に表示する。「メディアを装着して「シャッタを閉じる」ボタンを押してください。」との指示メッセージ１２２を表示し、「シャッタを閉じる」ボタン１２３を表示する。
【００３７】
制御装置３１は、ステップＳ１１で選択されたメディアが装着されたかを確認する（ステップＳ１４）。入出力端子部５１あるいは回転記録媒体リードライトユニット５２に記録媒体が装着されると、どのメディアが装着されたかが検出可能となる。選択したメディアと異なるメディアが装着された場合は（ステップＳ１４；Ｎ）、そのメディアが装着されるまで待機となる。そして、制御装置３１は、指示入力部２１にエラー表示を行い、選択したメディアを装着するように警告表示を行う。
【００３８】
選択したメディアが装着された場合は（ステップＳ１４；Ｙ）、閉じるボタン１２３が利用者によりオンされたかを確認する（ステップＳ１５）。閉じるボタン１２３がオンされた場合（ステップＳ１５；Ｙ）、制御装置３１は、ステップイングモータ７２を駆動して、シャッタ７０を閉じる（ステップＳ１６）。このとき、回転記録媒体のトレイ駆動機構５７を連動させて、トレイを収納させる。
【００３９】
制御装置３１は、装着されたメディア内の画像データを読み込み、アイコンとして指示入力部２１に展開し、表示する（ステップＳ１７）。利用者が印刷したい画像のアイコンを画面上で選択したかを確認し（ステップＳ１８）、選択されていれば、選択された画像データを記憶部４２に一旦保存する（ステップＳ１９）。
【００４０】
図１０は、ステップＳ８のメディア引き抜き処理のフローチャートである。
ステップＳ２１では、制御装置３１は、図１５に示すように、操作画面１３１を指示入力部２１に表示する。「メディアを引き抜いて「シャッタを閉じる」ボタンを押してください。」との指示メッセージ１３２を表示し、「シャッタを閉じる」ボタン１３３を表示する。そして、閉じるボタンが押されたかを確認する（ステップＳ２２）。閉じるボタンが押された場合、制御装置３１は記録媒体が取り外されたかを確認する（ステップＳ２３）。記録媒体が取り外されている場合（ステップＳ２３；Ｙ）、制御装置３１は、ステッピングモータ５５によりシャッタ７０を閉じる（ステップＳ２５）。このとき、回転記録媒体のトレイ駆動機構５７を連動させて、トレイを収納させる。
記録媒体が取り外されていない場合（ステップＳ２３；Ｎ）、制御装置３１は、警告音を鳴らし（ステップＳ２４）、ステップＳ２１に戻る。
【００４１】
図１１は、ステップＳ２５のシャッタを閉じる処理を示すフローチャートである。
制御装置３１はタイマーを開始させる（ステップＳ３１）。シャッタ７０が閉じる方向にモータ５５を回転させる（ステップＳ３２）。制御装置３１は、シャッタ位置検出センサ５３ａの検出結果より、シャッタ７０が「開いた状態」から変化しているかを確認する（ステップＳ３３）。シャッタ７０が変化していなければ（ステップＳ３３；Ｎ）、ステップＳ３６に進む。
【００４２】
シャッタ７０が「開いた状態」から変化していれば（ステップＳ３３；Ｙ）、制御装置３１は、シャッタ位置検出センサ５３ｂの検出結果より、シャッタ７０が閉じた状態になったかを確認する（ステップＳ３４）。シャッタ７０が閉じた状態になった場合（ステップＳ３４；Ｙ）、ステップＳ３６に進む。
【００４３】
シャッタ７０が閉じた状態になっていない場合（ステップＳ３４；Ｎ）、一定時間が経過したかを確認する（ステップＳ３５）。シャッタ７０が閉まるのに、通常１秒かかるとして、３秒かかったとしたら、制御装置３１は異常が発生したと判断する。シャッタ７０が閉じていない状態で、一定時間が経過した場合は、ステップＳ３６に進む。
【００４４】
ステップＳ３６では、制御装置３１は、タイマーを停止し、ステップＳ３７で、モータ５５の回転を止める。
【００４５】
利用者が「閉じる」ボタンを押して閉じることを指示した時にシャッタを閉じるようにしたことから、手をシャッタに挟むおそれは低減し、そのために遮蔽機構の破損も防止できる。特に記録媒体が開口部手前に落ちて、利用者がそれを拾っている間にシャッタが閉まってしまうといったことがなくなる。さらに、閉じるボタンを操作するときには、リーダライタ３３の配置された拡張ユニット３０から指示入力部２１を備えたＭＦＰ２０側に向かって利用者の位置をリーダライタ遠ざけるよう促すことができ、結果的に利用者が不用意に手を挟むことが抑制できる。
【００４６】
写真プリントのモードでは、利用者がメディアを装着したまま忘れて帰ってしまうことがないように、メディア装着→利用者の画像データ選択を受付ける→選択された画像データを制御装置側に一時保存する→メディア引き抜き→印刷  という処理の流れにすることで、メディアが確実に引き抜かれたことを前提に印刷するよう制御している。
【００４７】
＜他の実施形態１＞
図１６は、ステップＳ２５のシャッタ閉じ処理の他の処理を示すフローチャートである。
図１１と異なるのは、ステップＳ４８〜Ｓ５０である。ステップＳ４８では、モータを開く方向に回転させ、ステップＳ４９で一定時間を待って、ステップＳ５０でモータの回転を止める。
【００４８】
図１１では、制御装置３１が、ステップＳ４５で、シャッタが一定時間（例えば３秒）を経過した場合、異常と判断して、モータの回転を止めていたが、図１７では、シャッタが閉まるのに通常１秒かかるとして、３秒かかったら異物がシャッタに挟まっていると判断し、少しだけ開くようにした。
このように、シャッタ７０を開いた状態にしておくので、利用者が異物を抜き取り可能となる。
【００４９】
＜他の実施形態２＞
図１７は、ステップＳ８のメディア引き抜き処理の他の処理を示すフローチャートである。
図１０と異なる点は、ステップＳ６１、Ｓ６７、Ｓ６８の部分である。ステップＳ６１でタイマーをリセットしタイマーのカウントを開始してから、処理を行う。ステップＳ５３で閉じるボタンが押されなかった場合、制御装置３１は、記録媒体が取り外されているかを確認する（ステップＳ５７）。取り外されていなかった場合（ステップＳ５７；Ｎ）、ステップＳ５３に戻り、取り外されている場合（ステップＳ５７；Ｙ）、所定時間が経過してタイマーがタイムアップしたかを確認する（ステップＳ５８）。タイムアップしていなかった場合（ステップＳ５８；Ｎ）はステップＳ５３に戻り、タイムアップした場合（ステップＳ５８；Ｙ）、シャッタを閉じる（ステップＳ５３）。
【００５０】
図１０の処理では、記録媒体が引き抜かれても閉まるボタンが押されなければ、処理は完了しない。本実施形態では、記録装置が引き抜かれても所定時間以上は経過した場合、例えば２分経過したら、タイムアップしてシャッタを閉じる処理に移行する。
【００５１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５２】
１０  像形成システム
２１  指示入力部
２２  ＮＩＣ
２３  ＭＦＰ制御部
２４  第１の画像形成装置
２５  原稿読取部
３０  拡張ユニット
３１  制御装置
３２  第２の画像形成装置
３３  リーダライタ
４２  記憶部
４３  描画部
４４  シリアル通信部
５１  入出力端子部
５２  回転記録媒体リードライトユニット
５３，５３ａ，５３ｂ  位置検出センサ
５４  駆動部
５５  シャッタ駆動機構
５６  回転記録媒体の駆動機構
５６  ドライブユニット
５７  トレイ駆動機構
７０  シャッタ
７１  回転軸
【図１】
2013166356.tif 000003
【図２】
2013166356.tif 000004
【図３】
2013166356.tif 000005
【図４】
2013166356.tif 000006
【図５】
2013166356.tif 000007
【図６】
2013166356.tif 000008
【図７】
2013166356.tif 000009
【図８】
2013166356.tif 000010
【図９】
2013166356.tif 000011
【図１０】
2013166356.tif 000012
【図１１】
2013166356.tif 000013
【図１２】
2013166356.tif 000014
【図１３】
2013166356.tif 000015
【図１４】
2013166356.tif 000016
【図１５】
2013166356.tif 000017
【図１６】
2013166356.tif 000018
【図１７】
2013166356.tif 000019